(57)【要約】【課題】既存の商品に適用可能であり、且つ、非使用時の紛失を防止できるプラグカバーおよびそれを備えた髪ケア装置を得る。【解決手段】電気コード２に接続された電源プラグ３に着脱自在に被せるカバー本体部１１を備え、電源プラグ３の非使用時に、カバー本体部１１を電源プラグ３に被せて電源プラグ３を保護するプラグカバー１において、前記カバー本体部１を、前記電気コード２に係止するようにする。【選択図】図１
2012089422.tif 000002
【特許請求の範囲】
【請求項１】
電気コードに接続された電源プラグに着脱自在に被せるカバー本体部を備え、前記電源プラグの非使用時に、前記カバー本体部を前記電源プラグに被せて当該電源プラグを保護するプラグカバーにおいて、
前記カバー本体部を、前記電気コードに係止するようにしたことを特徴とするプラグカバー。
【請求項２】
前記カバー本体部を、前記電気コードにスライド自在に取り付けられた止め輪を介して前記電気コードに取り付けたことを特徴とする請求項１に記載のプラグカバー。
【請求項３】
前記電気コードを結束するベルト部を備え、当該ベルト部に前記カバー本体部を連結するとともに、当該ベルト部によって前記止め輪を形成することを特徴とする請求項２に記載のプラグカバー。
【請求項４】
前記カバー本体部およびベルト部を、柔軟性を有する合成樹脂で一体成形したことを特徴とする請求項３に記載のプラグカバー。
【請求項５】
前記カバー本体部およびベルト部を、柔軟性を有する連結部によって連結したことを特徴とする請求項３または４に記載のプラグカバー。
【請求項６】
前記連結部を、前記カバー本体部の挿入口の開口方向に延在させるとともに、当該連結部の一端部を、前記挿入口の端面に結合したことを特徴とする請求項５に記載のプラグカバー。
【請求項７】
前記連結部の他端部を前記ベルト部に結合するとともに、前記連結部の延在方向に対して前記ベルト部を直角に連結したことを特徴とする請求項６に記載のプラグカバー。
【請求項８】
前記連結部を、前記カバー本体部と前記ベルト部との間に一定の距離を確保できる長さに設定したことを特徴とする請求項５〜７のうち何れか１項に記載のプラグカバー。
【請求項９】
前記カバー本体部の外側の少なくとも一部に滑り止め突起を設けたことを特徴とする請求項１〜８のうち何れか１項に記載のプラグカバー。
【請求項１０】
前記カバー本体部は多面体形状に形成されており、
当該多面体形状の角部を円弧面に形成したことを特徴とする請求項１〜９のうち何れか１項に記載のプラグカバー。
【請求項１１】
請求項１〜１０のうち何れか１項に記載の前記プラグカバーを備えたことを特徴とする髪ケア装置。
【発明の詳細な説明】
【技術分野】
【０００１】
本発明は、電源プラグを保護するプラグカバーおよびそのプラグカバーを電気コードの電源プラグに備えた髪ケア装置に関する。
【背景技術】
【０００２】
従来より、電源プラグがコンセントに差し込まれていない非使用時に、電源プラグのプラグピンをプラグカバーで覆うようにしたものが知られている（例えば、特許文献１参照）。
【先行技術文献】
【特許文献】
【０００３】
【特許文献１】特開平９−１９９２１６号公報
【発明の概要】
【発明が解決しようとする課題】
【０００４】
しかしながら、上記従来技術にあっては、電源プラグのプラグケースに摺動自在または回動自在に取り付けられたプラグカバーが開示されているが、この場合、すでに家庭等で用いられている既存の商品（例えば、ドライヤー等の電源プラグ）には適応できないという問題があった。
【０００５】
また、プラグカバーをプラグケースとは分離して設け、非使用時に被せるようにしたものも開示されているが、この場合は、電源プラグの非使用時にプラグカバーを取り外して別の場所に置いておく必要があり、プラグカバーを紛失してしまう恐れがある。
【０００６】
そこで、本発明は、既存の商品に適用可能であり、且つ、非使用時の紛失を防止できるプラグカバーおよびそれを備えた髪ケア装置を得ることを目的とする。
【課題を解決するための手段】
【０００７】
上記目的を達成するために、本発明のプラグカバーにあっては、電気コードに接続された電源プラグに着脱自在に被せるカバー本体部を備え、前記電源プラグの非使用時に、前記カバー本体部を前記電源プラグに被せて当該電源プラグを保護するプラグカバーにおいて、前記カバー本体部を、前記電気コードに係止するようにしたことを特徴とする。
【発明の効果】
【０００８】
本発明のプラグカバーによれば、カバー本体部を電気コードに係止するようにしたので、既存の商品に適用可能であり、且つカバー本体部を取り外して電源プラグを使用する際に、カバー本体部は電気コードによって保持されるためプラグカバーの紛失を防止できる。
【図面の簡単な説明】
【０００９】
【図１】図１は、本発明にかかるプラグカバーの基本構造を示す斜視図である。
【図２】図２は、図１に示すプラグカバーが適用される電源プラグの斜視図である。
【図３】図３は、本発明にかかるプラグカバーの第１実施形態を示す斜視図である。
【図４】図４は、図３に示すプラグカバーのベルト部材を電気コードに止着した状態の斜視図である。
【図５】図５は、図３に示すプラグカバーを装着した状態を示す斜視図である。
【図６】図６は、図３に示すプラグカバーのカバー本体部を示す斜視図である。
【図７】図７は、図３に示すプラグカバーの平面図である。
【図８】図８は、図７中I−I線に沿った断面図である。
【図９】図９は、第１実施形態の第１変形例を示すカバー本体部の平面図である。
【図１０】図１０は、図９中II−II線に沿った断面図である。
【図１１】図１１は、第１実施形態の第２変形例を示すプラグカバー全体の斜視図である。
【図１２】図１２は、図１１に示すプラグカバーの側面図である。
【図１３】図１３は、図１２中III−III線に沿った断面図である。
【図１４】図１４は、第１実施形態のプラグカバーを備えたヘアーアイロンの斜視図である。
【図１５】図１５は、第１実施形態のプラグカバーを備えたヘアーブラシの斜視図である。
【図１６】図１６は、第１実施形態のプラグカバーを備えたドライヤーの斜視図である。
【発明を実施するための形態】
【００１０】
以下、本発明の実施形態について図面を参照しつつ詳細に説明する。
【００１１】
［基本構造］
図１に示すように、本発明にかかるプラグカバー１の基本構造は、電気コード２に接続された電源プラグ３に着脱自在に被せるカバー本体部１１を備え、このカバー本体部１１が電気コード２に係止されるようになっている。
【００１２】
電源プラグ３は、図２示すように、一般的にプラグケース３１の先端から２本のプラグピン３２、３３が突出されており、これらプラグピン３２、３３が図示省略したコンセントに差し込まれるようになっている。
【００１３】
そして、カバー本体部１１は、図１に示すように、プラグピン３２、３３側から挿入されて、当該プラグピン３２、３３からプラグケース３１に亘って覆う容器形状となっている。この基本構造では、カバー本体部１１は、一端が開放されて挿入口１２となった中空直方体形状に形成されており、開放された挿入口１２から電源プラグ３に挿入されるようになっている。このとき、カバー本体部１１は、プラグケース３１の外側に略密接して挿入され、挿入したカバー本体部１１がプラグケース３１との摩擦力で容易に脱落されないようになっている。
【００１４】
また、カバー本体部１１が電気コード２に係止される構造としては、カバー本体部１１の挿入口１２の端面から突設した柔軟性を有する連結部１３を、電気コード２に移動自在に遊嵌した止め輪１４に結合させるようになっている。すなわち、カバー本体部１１は、電気コード２にスライド自在に取り付けられた止め輪１４を介して電気コード２に取り付けられる。この止め輪１４は、電気コード２の外径よりも僅かに大きな開口をもって形成されることで、電源プラグ３側にスライド移動した際に当該電源プラグ３のブッシュ３４に規制されて電気コード２からの脱落が阻止される。
【００１５】
したがって、基本構造に示すプラグカバー１によれば、カバー本体部１１を電気コード２に係止するようにしたので、カバー本体部１１を取り外して電源プラグ３を使用する際に、カバー本体部１１は電気コード２によって保持されるため、プラグカバー１の紛失を防止できる。また、既存の商品にも適用することができる。
【００１６】
また、カバー本体部１１を電気コード２にスライド自在に取り付けられた止め輪１４を介して電気コード２に取り付けたので、止め輪１４をスライド移動させることでカバー本体部１１の電源プラグ３への装着作業を容易に行うことができる。
【００１７】
また、カバー本体部１１がプラグケース３１に略密接して挿入されるようにしたので、カバー本体部１１を取り付けた際には、カバー本体部１１をプラグケース３１でしっかりと保持することができ、電源プラグ３をより確実に保護できる。
【００１８】
［第１実施形態］
図３〜図８は、本発明の第１実施形態にかかるプラグカバー１００を示した図である。
【００１９】
本実施形態のプラグカバー１００は、前記基本構造と同様に電気コード２に接続された電源プラグ３に着脱自在に被せるカバー本体部１１０を備えている。そして、電源プラグ３の非使用時、つまり、図示省略したコンセントから電源プラグ３を抜いた際に、この電源プラグ３にカバー本体部１１０を被せることにより、電源プラグ３を保護できるようになっている。
【００２０】
本実施形態のプラグカバー１００は、図３および図７に示すように、電気コード２を結束するベルト部１２０を備えており、このベルト部１２０にカバー本体部１１０が連結されるようになっている。
【００２１】
カバー本体部１１０は、基本構造と同様に挿入口１１１を有する中空直方体形状に形成されるが、特に本実施形態では、カバー本体部１１０を電源プラグ３に被せた場合に、プラグピン３２、３３に対応する先端部１１０ａが四角錐台状にやや先細り形状となっている。もちろん、この場合にあってもカバー本体部１１０は、プラグケース３１の外側に略密接して挿入されるようになっている。また、カバー本体部１１０は多面体形状に形成されるが、本実施形態では、図６に示すように、多面体形状となった各角部が円弧面Ｒで形成されている。
【００２２】
ベルト部１２０は、少なくとも電気コード２を束ねるに必要な長さを有する帯状に形成されており、その基端部１２０ａには、ベルト部１２０の結束部１２１を係止する止め部１２２が設けられる。一方、ベルト部１２０の結束部１２１には、所定長さに亘って複数の係合穴１２３が長さ方向に沿って一定間隔で形成されている。
【００２３】
ベルト部１２０の基端部１２０ａは結束部１２１よりも幅広に形成されて、その中央部に上述の止め部１２２が配置される。止め部１２２は、結束部１２１を挿通自在な挿通穴１２２ａと、結束部１２１を挿通して係合穴１２３に係合自在な係止片１２２ｂが設けられた係止穴１２２ｃと、によって構成される。このとき、挿通穴１２２ａは係止穴１２２ｃよりも結束部１２１側に配置される。
【００２４】
そして、ベルト部１２０は、図４に示すように、電気コード２を取り巻くようにして結束部１２１を挿通穴１２２ａに挿通した後、結束部１２１の先端側を引っ張ることにより、結束部１２１の基端部側が電気コード２に巻回されてベルト部１２０が電気コード２に係止される。このように、本実施形態では、ベルト部１２０を電気コード２に対して一回転させることで止め輪１１４を形成しており、これによりプラグカバー１００は電気コード２に取り付いた状態を保持できる。
【００２５】
次に、挿通穴１２２ａから引き出された結束部１２１を、図４中矢印ａで示すように持ち上げた後、図５に示すように束ねた電気コード２を取り巻く。その後、結束部１２１の先端部を図３に示した係止穴１２２ｃに挿通する。そして、係止穴１２２ｃに挿通した結束部１２１の先端側を引張って束ねた電気コード２を緊縛し、この状態で係合穴１２３を係止片１２２ｂに係止させる。これにより、束ねた電気コード２はベルト部１２０によって結束した状態が保持される。
【００２６】
カバー本体部１１０は、挿入口１１１側の一辺中央部とベルト部１２０の基端部１２０ａの側辺とが、所定長さを有する帯状の連結部１３０によって連結される。つまり、連結部１３０は、図３および図７に示すように、一端部１３０ａが挿入口１１１の端面に結合され挿入口１１１の開口方向に延在するとともに、他端部１３０ｂがベルト部１２０の基端部１２０ａに結合され、これら連結部１３０とベルト部１２０とがＬ字状をなすように直角に連結されている。
【００２７】
そして、カバー本体部１１０、ベルト部１２０および連結部１３０は、柔軟性を有する合成樹脂で一体成形されるようになっている。なお、柔軟性とは可撓性や屈曲性に優れた状態をいい、この柔軟性を有する合成樹脂としては、所定の形状を保持しつつ適度な柔軟性を有するポリプロピレン（ＰＰ）等が好ましい。
【００２８】
このとき、連結部１３０は、カバー本体部１１０とベルト部１２０との間に一定の距離、つまり、カバー本体部１１０を電源プラグ３に装着作業する距離およびベルト部１２０で電気コード２を結束作業する距離を確保できる長さＬ（図７参照）に設定されている。この場合、連結部１３０の長さＬは、例えば、３０ｍｍ〜３００ｍｍの長さとすることが好ましい。
【００２９】
このように構成されたプラグカバー１００は、電源プラグ３をコンセントから抜いて収納する際には、カバー本体部１１０を電源プラグ３に被せるとともに、電気コード２を束ねてベルト部１２０によって結束しておく。そして、電源プラグ３を使用する際には、電源プラグ３に被せたカバー本体部１１０を外すとともに、ベルト部１２０の結束部１２１の係合穴１２３を係止片１２２ｂから離脱させた後、結束部１２１を係止穴１２２ｃから抜き、束ねた電気コード２の結束を解く。これにより、電気コード２を長く延ばすことができるようになり、電源プラグ３をコンセントに差し込むことができる。このとき、カバー本体部１１０を電源プラグ３から外したプラグカバー１００は、ベルト部１２０の基端側に形成した止め輪１１４によって、図４に示すように電気コード２に係止された状態が続くので、電気コード２に取り付いた状態を保持できる。
【００３０】
以上の構成により、本実施形態のプラグカバー１００によれば、図１に示した基本構造と同様に、カバー本体部１１０を電気コード２に係止するようにしたので、カバー本体部１１０を取り外して電源プラグ３を使用する際に、カバー本体部１１０は電気コード２によって保持されるため、プラグカバー１００の紛失を防止できる。
【００３１】
また、カバー本体部１１０を電気コード２にスライド自在に取り付けられた止め輪１１４を介して電気コード２に取り付けたので、止め輪１１４をスライド移動させることでカバー本体部１１０の電源プラグ３への装着作業を容易に行うことができる。
【００３２】
特に、本実施形態では、プラグカバー１００は電気コード２を結束するベルト部１２０を備え、このベルト部１２０によって止め輪１１４を形成するようにしている。そのため、カバー本体部１１０を電気コード２に係止する構成を容易に得れるとともに、ベルト部１２０によって電気コード２を結束することもできるので、ベルト部１２０に二つの機能を付加して利便性に優れたプラグカバー２を提供することができる。また、既存の商品に適用することができる。  
さらに、本実施形態によれば、カバー本体部１１０およびベルト部１２０を柔軟性を有する合成樹脂で一体成形したので、ベルト部１２０を有するプラグカバー１００を１つの部品として形成できるとともに、ベルト部１２０を有するプラグカバー１００の外観性を向上して見栄えを良くすることができる。
【００３３】
さらにまた、本実施形態によれば、カバー本体部１１０とベルト部１２０とを連結した連結部１３０を、カバー本体部１１０およびベルト部１２０と同様に柔軟性を有する合成樹脂で形成したので、カバー本体部１１０を電源プラグ３に被せる際に連結部１３０を変形させることができ、装着作業を容易に行うことができる。
【００３４】
また、本実施形態では、連結部１３０をカバー本体部１１０の挿入口１１１の開口方向に延在させるとともに、当該連結部１３０の一端部１３０ａを挿入口１１１の端面に結合している。そのため、電源プラグ３を連結部１３０に沿わせて移動させることで、電源プラグ３をカバー本体部１１０に容易に装着できるとともに、連結部１３０の一端部１３０ａがカバー本体部１１０の外面に結合される構成と比べて、その厚さが嵩張ることなくコンパクトにでき、かつプラグカバー１００の見栄えも良くすることができる。
【００３５】
さらに、本実施形態では、連結部１３０の他端部１３０ｂをベルト部１２０に結合するとともに、連結部１３０の延在方向に対してベルト部１２０を直角に連結するようにしている。そのため、連結部１３０の延在方向に沿って繰り返し折り畳んだ電気コード２を直角に配置されたベルト部１２０によって容易に結束することができる。
【００３６】
また、本実施形態によれば、連結部１３０の長さＬを、カバー本体部１１０とベルト部１２０との間に作業し易い一定の距離を確保できるように設定したので、カバー本体部１１０の装着と電気コード２の結束を容易に行うことができる。
【００３７】
さらに、本実施形態によれば、多面体形状に形成されたカバー本体部１１０の角部を円弧面Ｒに形成したので、カバー本体部１１０を掴むときの感触が良くなるとともに、カバー本体部１１０が周囲の物に干渉して傷を付けてしまうのを抑制できる。
【００３８】
［第１変形例］
図９および図１０は、上記第１実施形態にかかるプラグカバーの第１変形例を示した図である。本変形例では、上述したカバー本体部１１０の外側の少なくとも一部として、カバー本体部１１０の上面１１０ｔに、滑り止め突起としてのリブ１１２を複数条設けたものである。
【００３９】
なお、本変形例ではリブ１１２が３条設けられているが、１条または２条若しくは４条以上でもよい。この場合、リブ１１２はカバー本体部１１０の挿入方向に対して直角となる方向に延設されている。また、滑り止め突起は、リブ１１２に限ることなく指の滑りを抑える形状、たとえば、凹凸部または円形や多角形の突部であってもよい。
【００４０】
このように、本変形例のプラグカバー１００によれば、カバー本体部１１０の上面１１０ｔにリブ１１２を設けたので、カバー本体部１１０の上面１１０ｔと下面１１０ｂを持って電源プラグ３に挿入および電源プラグ３から取り外しを行う場合に、このリブ１１２が滑り止めとなってカバー本体部１１０を持ち易くなり、カバー本体部１１０の装着および取り外しが容易になる。
【００４１】
［第２変形例］
図１１〜図１３は、上記第１実施形態にかかるプラグカバーの第２変形例を示した図である。本変形例では、カバー本体部１１０の上面１１０ｔにリブ１１２を設けた第１変形例に対し、カバー本体部１１０の両側面１１０ｓにそれぞれリブ１１２を設けたものである。
【００４２】
本変形例にあっても、リブ１１２は複数条設けられて、それぞれがカバー本体部１１０の挿入方向に対して直角となる方向に延設されている。また、本変形例にあっても、滑り止め突起は、リブ１１２に限ることなく指の滑りを抑える形状、たとえば、凹凸部または円形や多角形の突部であってもよい。
【００４３】
このように、本変形例のプラグカバー１００によれば、カバー本体部１１０の両側面１１０ｓにそれぞれリブ１１２を設けたので、カバー本体部１１０の両側面１１０ｓを持って電源プラグ３に挿入および電源プラグ３から取り外しを行う場合に、このリブ１１２が滑り止めとなってカバー本体部１１０を持ち易くなり、カバー本体部１１０の装着および取り外しが容易になる。
【００４４】
ところで、上記第１変形例ではリブ１１２をカバー本体部１１０の上面１１０ｔに設け、第２変形例ではカバー本体部１１０の両側面１１０ｓに設けた場合を示したが、リブ１１２はそれら以外の面、たとえばカバー本体部１１０の下面１１０ｂに設けてもよく、また、全周面１１０ｔ〜１１０ｓに設けてもよい。
【００４５】
［第２実施形態］
図１４は、本発明の第２実施形態を示した図である。本実施形態は、上記第１実施形態のプラグカバー１００を、髪ケア装置としてのヘアーアイロン２００に接続された電気コード２の電源プラグ３に適用したものである。なお、本実施形態を説明するにあたって上記第１実施形態に示す構成部品と同一構成部分に同一符号を付して重複する説明を省略して述べるものとする。
【００４６】
ヘアーアイロン２００は、アイロン部２１０と把持部２２０とからなり、アイロン部２１０には一対の発熱部２１１、２１２が対向配置されるとともに、把持部２２０は支点部２２１を中心に開閉自在となって、それら開閉自在となった先端側に発熱部２１１、２１２が保持されている。
【００４７】
把持部２２０の開閉部分は、図示省略したスプリングにより拡開方向に付勢されており、把持した手を弛めることにより発熱部２１１、２１２が開き、これら開いた発熱部２１１、２１２間に毛髪を挟み込むことができる。そして、毛髪を挟み込んだ状態で把持部２２０に把持力を加えて閉じることにより、発熱部２１１、２１２間で毛髪を挟持し、この毛髪をカールしたり癖毛を矯正したりできる。
【００４８】
発熱部２１１、２１２は、電気発熱されるようになっており、把持部２２０の基端部に接続した電気コード２を介して電力供給される。なお、把持部２２０には、発熱部２１１、２１２に供給される電気をオン・オフする図示省略したスイッチが設けられている。
【００４９】
ここで、本実施形態では、電気コード２の先端部に設けられた電源プラグ３に、上記第１実施形態で示したプラグカバー１００が用いられ、ヘアーアイロン２００を使用しない時は、図示するように電源プラグ３にカバー本体部１１０を被せるとともに、電気コード２をベルト部１２０で結束して束ねることができるようになっている。
【００５０】
したがって、本実施形態のヘアーアイロン２００によれば、上記第１実施形態で開示したプラグカバー１００の効果を享有しつつ、ヘアーアイロン２００の仕舞い勝手を向上させることができる。
【００５１】
［第３実施形態］
図１５は、本発明の第３の実施形態を示した図である。本実施形態は、上記第１実施形態のプラグカバー１００を、髪ケア装置としてのブローブラシ３００に接続された電気コード２の電源プラグ３に適用したものである。なお、本実施形態を説明するにあたって上記第１実施形態に示す構成部品と同一構成部分に同一符号を付して重複する説明を省略して述べるものとする。
【００５２】
ブローブラシ３００は、ブラシ部３１０と把持部３２０とからなり、ブラシ部３１０は、毛髪を梳く植毛３１１を取り付けた基台３１２を有しており、この基台３１２には植毛３１１に向けて温風や冷風を吹き付ける吹出口３１３が設けられている。把持部３２０は、使用者が把持してブラシ部３１０を支持できるようになっており、この把持部３２０には、吹出口３１３から吹き出す送風をオン・オフするとともに、温風と冷風とを切り換える図示省略したスイッチが設けられる。
【００５３】
そして、植毛３１１で毛髪を梳く際に、吹出口３１３から温風や冷風を送風することにより、毛髪の乾燥やスタイリングができるようになっている。送風は把持部３２０に内蔵した図示省略したファンで得られ、このファンの下流に設けたヒータを加熱することにより温風が作られ、ヒータを切っておくことにより冷風が作られる。そして、ファンおよびヒータは電気コード２から供給される電力で作動される。
【００５４】
ここで、本実施形態では、電気コード２の先端部に設けられた電源プラグ３に、上記第１実施形態で示したプラグカバー１００が用いられ、ブローブラシ３００を使用しない時は、図示するように電源プラグ３にカバー本体部１１０を被せるとともに、電気コード２をベルト部１２０で結束して束ねることができるようになっている。
【００５５】
したがって、本実施形態のブローブラシ３００によれば、上記第１実施形態で開示したプラグカバー１００の効果を享有しつつ、ブローブラシ３００の仕舞い勝手を向上させることができる。
【００５６】
［第４実施形態］
図１６は、本発明の第４実施形態を示した図である。本実施形態は、上記第１実施形態のプラグカバー１００を、髪ケア装置としてのヘアドライヤー４００に接続された電気コード２の電源プラグ３に適用したものである。なお、本実施形態を説明するにあたって上記第１実施形態に示す構成部品と同一構成部分に同一符号を付して重複する説明を省略して述べるものとする。
【００５７】
ヘアドライヤー４００は、風洞部４１０と把持部４２０とからなり、風洞部４１０は、図示省略したがファンやヒータが内臓され、ファンにより空気吸込口４１１から導入した空気を、ヒータが加熱されることにより温風として、また、ヒータを切った状態では冷風として空気吹出口４１２から吹き出すようになっている。また、本実施形態のヘアドライヤー４００は、上記送風の通路の側方にマイナスイオンを生成する図示省略したイオン発生装置が内臓されており、このイオン発生装置で生成したマイナスイオンをイオン吹出口４１３から放出できるようになっている。なお、このイオン発生装置はヘアドライヤー４００を構成する上で必ずしも必要とはしない。
【００５８】
把持部４２０は、風洞部４１０を支持して使用者が把持するようになっており、この把持部４２０には、空気吹出口４１２から吹き出す送風をオン・オフするとともに、温風と冷風とを切り換えるスイッチ４１４が設けられている。また、イオン発生装置をオン・オフする図示省略したスイッチも設けられる。
【００５９】
そして、ヘアドライヤー４００の空気吹出口４１２を毛髪に向けて温風や冷風を送風することにより、毛髪の乾燥やスタイリングができるようになっている。また、イオン発止装置を作動させることにより、毛髪にマイナスイオンを付着させて、しっとり艶やかな髪とすることができる。ファンおよびヒータならびにイオン発生装置は、電気コード２から供給される電力で作動される。
【００６０】
ここで、本実施形態では、電気コード２の先端部に設けられた電源プラグ３に、上記第１実施形態で示したプラグカバー１００が用いられ、ヘアドライヤー４００を使用しない時は、図示するように電源プラグ３にカバー本体部１１０を被せるとともに、電気コード２をベルト部１２０で結束して束ねることができるようになっている。
【００６１】
したがって、本実施形態のヘアドライヤー４００によれば、上記第１実施形態で開示したプラグカバー１００の効果を享有しつつ、ヘアドライヤー４００の仕舞い勝手を向上することができる。
【００６２】
なお、上記第２〜第４実施形態では、第１実施形態のプラグカバー１００を用いるようにした場合を示したが、第１変形例や第２変形例に示すリブ１１２を設けたカバー本体部１１０を用いることもできる。また、図１に示す基本構造を用いても良い。更に、図１４〜図１６に示したベルト部１２０の結束部１２１を係止する構造は、便宜上、簡略化して示してあるが、その係止構造は図４および図１１に示す構造となる。
【００６３】
以上、本発明の好適な実施形態について説明したが、本発明は上記実施形態には限定されず、種々の変形が可能である。例えば、カバー本体部１１０の形状は電源プラグ３の形状に沿って適宜変更でき、また、ベルト部１２０の構造も電気コード２を結束できる構造であればよい。
【００６４】
また、本発明のプラグカバー１００を適用する髪ケア装置として、ヘアーアイロン２００、ブローブラシ３００およびヘアドライヤー４００を示したが、これら以外にも他の髪ケア装置、たとえば、カールアイロンなどにあっても本発明のプラグカバー１００を適用することができる。もちろん、これら髪ケア装置以外にも、一般的に用いられる電気機器の電気コードに取り付けられた電源プラグにあっても本発明のプラグカバーを用いることができる。
【００６５】
また、上記実施形態では、プラグカバー１００の連結部１３０の長さＬを、電気コード２の損傷を考慮した下限値として３０ｍｍとし、ヘアドライヤー４００等の髪ケア装置をハンドキャリー（バッグに収納できる状態）を考慮して３００ｍｍと設定したが、利用されるケースに応じて連結部１３０の長さＬは設定すればよい。
【符号の説明】
【００６６】
１  プラグカバー
１１  カバー本体部
１３  連結部
２  電気コード
３  電源プラグ
１００  プラグカバー
１１０  カバー本体部
【図１】
2012089422.tif 000003
【図２】
2012089422.tif 000004
【図３】
2012089422.tif 000005
【図４】
2012089422.tif 000006
【図５】
2012089422.tif 000007
【図６】
2012089422.tif 000008
【図７】
2012089422.tif 000009
【図８】
2012089422.tif 000010
【図９】
2012089422.tif 000011
【図１０】
2012089422.tif 000012
【図１１】
2012089422.tif 000013
【図１２】
2012089422.tif 000014
【図１３】
2012089422.tif 000015
【図１４】
2012089422.tif 000016
【図１５】
2012089422.tif 000017
【図１６】
2012089422.tif 000018